【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
放射線を電荷に変換する変換素子が２次元に複数配列された検出部と、
前記検出部を駆動する駆動回路と、
前記検出部からの前記電荷に基づく電気信号を読み出す読み出し回路と、
放射線が照射された前記検出部を駆動して第１の信号値を読み取る第１の読み取り動作と、該第１の読み取り動作の前に放射線が照射されることなく前記検出部を駆動して第２の信号値を読み取る第２の読み取り動作と、前記第１の読み取り動作の後に放射線が照射されることなく前記検出部を駆動して第３の信号値を読み取る第３の読み取り動作と、を選択的に実行する制御部と、
前記読み出し回路から出力された前記電気信号を処理する信号処理部と、を含み、
前記信号処理部は、前記第２の信号値と前記第３の信号値とを撮影のフレームレートに応じた重み付けをして加算する処理をして得られた補正用の信号値を前記第１の信号値から減算する放射線撮像装置。
【請求項２】
前記信号処理部は、前記第２の信号値と前記第３の信号値とを平均化処理をして得られた前記補正用の信号値を前記第１の信号値から減算することを特徴とする請求項１に記載の放射線撮像装置。
【請求項３】
前記信号処理部は、前記第１の信号値を記憶する第１の記憶手段と、前記第２の信号値を記憶する第２の記憶手段と、前記第３の信号値を記憶する第３の記憶手段と、前記補正用の信号値を記憶する第４の記憶手段を有する請求項１又は２に記載の放射線撮像装置。
【請求項４】
前記変換素子は、放射線を光に変換する波長変換体と、該光を前記電荷に変換する光電変換素子と、を有する請求項１から３のいずれか１項に記載の放射線撮像装置。
【請求項５】
前記波長変換体は、Ｇｄ２Ｏ３、Ｇｄ２Ｏ２Ｓ及びＣｓＩのうちから選ばれた１種を母体材料として含む請求項４に記載の放射線撮像装置。
【請求項６】
前記光電変換素子は、絶縁基板上に設けられたアモルファスシリコンを主材料とする半導体層を有する請求項４又は５に記載の放射線撮像装置。
【請求項７】
検出部は、前記変換素子と、前記変換素子に応じたスイッチ素子と、を含む画素が２次元に複数配列される請求項１から６のいずれか１項に記載の放射線撮像装置。
【請求項８】
請求項１から７のいずれか１項に記載の放射線撮像装置と、放射線発生手段と、を含み、前記制御手段が前記放射線発生手段及び前記放射線撮像装置の動作を制御することにより、被写体を透過した放射線画像を読み取る放射線撮像システム。
【請求項９】
放射線撮像装置の動作を制御する制御方法であって、
２次元に複数配列された放射線を電荷に変換する変換素子を有し、放射線が照射された検出部を駆動回路が駆動して読み出し回路が前記検出部から第１の信号値を読み取る第１の読み取りと、
該第１の読み取り工程の前に放射線が照射されることなく前記検出部を前記駆動回路が駆動して前記読み出し回路が前記検出部から第２の信号値を読み取る第２の読み取りと、
前記第１の読み取り後に放射線が照射されることなく前記検出部を前記駆動回路が駆動して前記読み出し回路が前記検出部から第３の信号値を読み取る第３の読み取りと、
前記読み出し回路から出力された前記電気信号を処理する信号処理部が、前記第２の信号値と前記第３の信号値とを撮影のフレームレートに応じた重み付けをして加算する処理をして得られた補正用の信号値を、前記第１の信号値から減算する制御方法。
【請求項１０】
放射線を電荷に変換する変換素子が２次元に複数配列された検出部と、前記検出部を駆動する駆動回路と、前記検出部からの前記電荷に基づく電気信号を読み出すための読み出し回路と、前記読み出し回路から出力された前記電気信号を処理する信号処理部と、を備えた放射線撮像装置の動作をコンピュータに制御させるために記憶媒体に記憶されたプログラムであって、
放射線が照射された前記検出部を前記駆動回路が駆動して前記読み出し回路が前記検出部から第１の信号値を読み取る第１の読み取り手順と、該第１の読み取り手順の前に放射線が照射されることなく前記検出部を前記駆動回路が駆動して前記読み出し回路が前記検出部から第２の信号値を読み取る第２の読み取り手順と、前記第１の読み取り手順の後に放射線が照射されることなく前記検出部を前記駆動回路が駆動して前記読み出し回路が前記検出部から第３の信号値を読み取る第３の読み取り手順と、をコンピュータに選択的に実行させ、
前記信号処理部が前記第２の信号値と前記第３の信号値とを撮影のフレームレートに応じた重み付けをして加算する処理をして得られた補正用の信号値を前記第１の信号値から減算する手順をコンピュータに実行させる。
【手続補正２】
【補正対象書類名】明細書
【補正対象項目名】００１７
【補正方法】変更
【補正の内容】
【００１７】
本発明に係る放射線撮像装置は、放射線を電荷に変換する変換素子が２次元に複数配列された検出部と、前記検出部を駆動する駆動回路と、前記検出部からの前記電荷に基づく電気信号を読み出す読み出し回路と、放射線が照射された前記検出部を駆動して第１の信号値を読み取る第１の読み取り動作と、該第１の読み取り動作の前に放射線が照射されることなく前記検出部を駆動して第２の信号値を読み取る第２の読み取り動作と、前記第１の読み取り動作の後に放射線が照射されることなく前記検出部を駆動して第３の信号値を読み取る第３の読み取り動作と、を選択的に実行する制御部と、前記読み出し回路から出力された前記電気信号を処理する信号処理部と、を含み、前記信号処理部は、前記第２の信号値と前記第３の信号値とを撮影のフレームレートに応じた重み付けをして加算する処理をして得られた補正用の信号値を前記第１の信号値から減算する。
【手続補正３】
【補正対象書類名】明細書
【補正対象項目名】００１９
【補正方法】変更
【補正の内容】
【００１９】
本発明に係る放射線撮像装置の制御方法は、放射線が照射された検出部、ここで前記検出部は、２次元に複数配列された放射線を電荷に変換する変換素子を有する、を駆動回路が駆動して読み出し回路が前記検出部から第１の信号値を読み取る第１の読み取りステップと、該第１の読み取りステップの前に放射線が照射されることなく前記検出部を前記駆動回路が駆動して前記読み出し回路が前記検出部から第２の信号値を読み取る第２の読み取りステップと、前記第１の読み取りステップの後に放射線が照射されることなく前記検出部を前記駆動回路が駆動して前記読み出し回路が前記検出部から第３の信号値を読み取る第３の読み取りステップと、前記読み出し回路から出力された前記電気信号を処理する信号処理部が、前記第２の信号値と前記第３の信号値とを撮影のフレームレートに応じた重み付けをして加算する処理をして得られた補正用の信号値を、前記第１の信号値から減算するステップと、を有する。
【手続補正４】
【補正対象書類名】明細書
【補正対象項目名】００２０
【補正方法】変更
【補正の内容】
【００２０】
本発明に係るプログラムは、放射線を電荷に変換する変換素子が２次元に複数配列された検出部と、前記検出部を駆動する駆動回路と、前記検出部からの前記電荷に基づく電気信号を読み出すための読み出し回路と、前記読み出し回路から出力された前記電気信号を処理する信号処理部と、を備えた放射線撮像装置の動作をコンピュータに制御させるために記憶媒体に記憶されたプログラムであって、放射線が照射された前記検出部を前記駆動回路が駆動して前記読み出し回路が前記検出部から第１の信号値を読み取る第１の読み取り手順と、該第１の読み取り手順の前に放射線が照射されることなく前記検出部を前記駆動回路が駆動して前記読み出し回路が前記検出部から第２の信号値を読み取る第２の読み取り手順と、前記第１の読み取り手順の後に放射線が照射されることなく前記検出部を前記駆動回路が駆動して前記読み出し回路が前記検出部から第３の信号値を読み取る第３の読み取り手順と、をコンピュータに選択的に実行させ、前記信号処理部が前記第２の信号値と前記第３の信号値とを撮影のフレームレートに応じた重み付けをして加算する処理をして得られた補正用の信号値を前記第１の信号値から減算する手順をコンピュータに実行させる。